(57)【要約】【課題】  撮影場所に限定されずに、被写体の撮影を制限できる画像撮影制御装置を実現する。【解決手段】  ユーザがデジタルカメラ１の電源を投入し、動作モードを撮影モードに切り替えて、図（ａ）中左側のページ１００２に対する撮影を実行すると、撮影された撮影画像１０１０が表示部３００に表示される。そして、ＣＰＵにより、撮影画像１０１０に含まれる制限標章像Ｉ１０が検出され、続いて、保存中止メッセージ１０２０が表示部３００に表示される。【選択図】  図５
2005136639.tif 000002
【特許請求の範囲】
【請求項１】
被写体を電子的に撮影する撮影手段と、
撮影画像の保存を制限するための予め定められた制限標章像を、前記撮影手段により撮影された撮影画像の中から検出する検出手段と、
この検出手段により前記制限標章像が検出されなかった場合に当該撮影画像を保存し、検出された場合に当該撮影画像の保存を制限する制御を行う保存制御手段と、
を備えることを特徴とする画像撮影制御装置。
【請求項２】
前記保存制御手段は、
前記制限標章像が検出された場合に、当該撮影画像中の当該制限標章像が含まれる所定範囲の部分画像を加工する加工手段と、
この加工手段により加工された撮影画像を保存する制御を行う加工画像保存制御手段と、
を有することを特徴とする請求項１に記載の画像撮影制御装置。
【請求項３】
被写体を電子的に撮影する撮影手段と、
撮影画像の表示を制限するための予め定められた制限標章像を、前記撮影手段により撮影された撮影画像の中から検出する検出手段と、
この検出手段により前記制限標章像が検出されなかった場合に当該撮影画像を表示し、検出された場合に当該撮影画像の表示を制限する制御を行う表示制御手段と、
を備えることを特徴とする画像撮影制御装置。
【請求項４】
前記表示制御手段は、
前記制限標章像が検出された場合に、当該撮影画像中の当該制限標章像が含まれる所定範囲の部分画像を加工する加工手段と、
この加工手段により加工された撮影画像を表示する制御を行う加工画像表示制御手段と、
を有することを特徴とする請求項３に記載の画像撮影制御装置。
【請求項５】
所定の通信回線を介して外部から表示制限解除信号を受信する解除信号受信手段を更に備え、
前記表示制御手段は、前記解除信号受信手段により前記表示制限解除信号を受信した場合には、前記制限標章像が検出された撮影画像の表示制限を解除して表示する制御を行う制限解除手段を有する、
ことを特徴とする請求項３に記載の画像撮影制御装置。
【請求項６】
前記検出手段は、拡大表示するための予め定められた拡大表示標章像を、前記撮影手段により撮影された撮影画像の中から検出する拡大表示標章像検出手段を有し、
前記表示制御手段は、前記拡大表示標章像検出手段により前記拡大表示標章像が検出された場合に、当該撮影画像中の当該拡大表示標章像が含まれる所定範囲の部分画像を拡大して表示する制御を行う拡大表示制御手段を有する、
ことを特徴とする請求項３又は４に記載の画像撮影制御装置。
【請求項７】
前記制限標章像は、文字、図形、記号及び色彩パターンのうちの少なくとも１つによって形成される標章、バーコード又は電子透かし像であることを特徴とする請求項１〜６の何れか一項に記載の画像撮影制御装置。
【請求項８】
被写体を電子的に撮影する撮影手段を備えたコンピュータに、
撮影画像の保存を制限するための予め定められた制限標章像を、前記撮影手段により撮影された撮影画像の中から検出する検出機能と、
この検出機能により前記制限標章像が検出されなかった場合に当該撮影画像を保存し、検出された場合に当該撮影画像の保存を制限する制御を行う保存制御機能と、
を実現させるためのプログラム。
【請求項９】
被写体を電子的に撮影する撮影手段を備えたコンピュータに、
撮影画像の表示を制限するための予め定められた制限標章像を、前記撮影手段により撮影された撮影画像の中から検出する検出機能と、
この検出機能により前記制限標章像が検出されなかった場合に当該撮影画像を表示し、検出された場合に当該撮影画像の表示を制限する制御を行う表示制御機能と、
を実現させるためのプログラム。
【発明の詳細な説明】
【技術分野】
【０００１】
本発明は、画像撮影制御装置及びプログラムに関する。
【背景技術】
【０００２】
従来から、被写体を電子的に撮影するデジタルカメラと言われる画像撮影制御装置が知られている。デジタルカメラは、レンズを通してＣＣＤ（Charge Coupled Device）等の撮像素子で取り込んだ撮影画像を記憶装置に保存する。
【０００３】
また、近年では、小型のデジタルカメラやカメラ付きの携帯電話等の携帯型電子機器が普及してきている。このため、警備上や権利上、又は演出効果上から、撮影禁止、又はフラッシュ撮影禁止とされている場所等、制限を必要とする空間内に対して、携帯型電子機器の撮影モードを撮影禁止状態、又はフラッシュ撮影禁止状態に切り替える技術が考案されている（特許文献１参照。）
【特許文献１】特開２００２−１３５８３８号公報
【発明の開示】
【発明が解決しようとする課題】
【０００４】
しかしながら、上記した特許文献１の技術を用いて携帯型電子機器による撮影を制限する場合には、撮影モードを切り替えさせるための制御信号発信装置を取り付けなければならなかった。このため、特許文献１の技術では、撮影制限をしたい被写体が移動する場合の撮影制限が困難であった。そこで本発明は、制御信号発信装置が設置されている場所（空間）といった撮影場所に限定されずに、被写体の撮影を制限できる画像撮影制御装置を実現することを目的とする。
【課題を解決するための手段】
【０００５】
以上の課題を解決するため、請求項１に記載の発明の画像撮影制御装置は、
被写体を電子的に撮影する撮影手段（例えば、図１に示すデジタルカメラ１；図４に示すステップａ２０）と、
撮影画像の保存を制限するための予め定められた制限標章像を、前記撮影手段により撮影された撮影画像の中から検出する検出手段（例えば、図２に示すＣＰＵ１００；図４に示すステップａ３０）と、
この検出手段により前記制限標章像が検出されなかった場合に当該撮影画像を保存し、検出された場合に当該撮影画像の保存を制限する制御を行う保存制御手段（例えば、図２に示すＣＰＵ１００；図４に示すステップａ４０〜６０）と、
を備えることを特徴としている。
【０００６】
また、請求項８に記載の発明は、
被写体を電子的に撮影する撮影手段（例えば、図１に示すデジタルカメラ１；図４に示すステップａ２０）を備えたコンピュータに、
撮影画像の保存を制限するための予め定められた制限標章像を、前記撮影手段により撮影された撮影画像の中から検出する検出機能（例えば、図２に示すＣＰＵ１００；図４に示すステップａ３０）と、
この検出機能により前記制限標章像が検出されなかった場合に当該撮影画像を保存し、検出された場合に当該撮影画像の保存を制限する制御を行う保存制御機能（例えば、図２に示すＣＰＵ１００；図４に示すステップａ４０〜６０）と、
を実現させるためのプログラムである。
【０００７】
この請求項１又は８に記載の発明によれば、撮影された撮影画像の中から、撮影画像の保存を制限するための予め定められた制限標章像が検出された場合に、当該撮影画像の保存を制限する制御を行うことができる。したがって、撮影画像に制限標章像が含まれるか否かによって、当該撮影画像の保存を適切に制限することができるので、撮影場所に限定されずに、被写体の撮影を制限できる画像撮影制御装置を実現することができる。
【０００８】
請求項２に記載の発明は、請求項１に記載の画像撮影制御装置において、
前記保存制御手段は、
前記制限標章像が検出された場合に、当該撮影画像中の当該制限標章像が含まれる所定範囲の部分画像を加工する加工手段（例えば、図２に示すＣＰＵ１００；図７に示すステップｂ４０（ＹＥＳ）〜ｂ６０）と、
この加工手段により加工された撮影画像を保存する制御を行う加工画像保存制御手段（例えば、図２に示すＣＰＵ１００；図７に示すステップｂ７０）と、
を有することを特徴としている。
【０００９】
この請求項２に記載の発明によれば、撮影画像から制限標章像が検出された場合に、当該撮影画像中の当該制限標章像が含まれる所定範囲の部分画像を加工し、加工した画像を保存する制御を行うことができる。
【００１０】
請求項３に記載の発明の画像撮影制御装置は、
被写体を電子的に撮影する撮影手段（例えば、図１に示すデジタルカメラ１；図１１に示すステップｃ２０）と、
撮影画像の表示を制限するための予め定められた制限標章像を、前記撮影手段により撮影された撮影画像の中から検出する検出手段（例えば、図２に示すＣＰＵ１００；図１１に示すステップｃ３０）と、
この検出手段により前記制限標章像が検出されなかった場合に当該撮影画像を表示し、検出された場合に当該撮影画像の表示を制限する制御を行う表示制御手段（例えば、図２に示すＣＰＵ１００；図１１に示すステップｃ８０〜ｃ１１８）と、
を備えることを特徴としている。
【００１１】
また、請求項９に記載の発明は、
被写体を電子的に撮影する撮影手段（例えば、図１に示すデジタルカメラ１；図１１に示すステップｃ２０）を備えたコンピュータに、
撮影画像の表示を制限するための予め定められた制限標章像を、前記撮影手段により撮影された撮影画像の中から検出する検出機能（例えば、図２に示すＣＰＵ１００；図１１に示すステップｃ３０）と、
この検出機能により前記制限標章像が検出されなかった場合に当該撮影画像を表示し、検出された場合に当該撮影画像の表示を制限する制御を行う表示制御機能（例えば、図２に示すＣＰＵ１００；図１１に示すステップｃ８０〜ｃ１１８）と、
を実現させるためのプログラムである。
【００１２】
この請求項３又は９に記載の発明によれば、撮影された撮影画像の中から、撮影画像の表示を制限するための予め定められた制限標章像が検出された場合に、当該撮影画像の表示を制限する制御を行うことができる。したがって、撮影画像に制限標章像が含まれるか否かによって、当該撮影画像の表示を適切に制限することができるので、撮影場所に限定されずに、被写体の撮影を制限できる画像撮影制御装置を実現することができる。
【００１３】
請求項４に記載の発明は、請求項３に記載の画像撮影制御装置において、
前記表示制御手段は、
前記制限標章像が検出された場合に、当該撮影画像中の当該制限標章像が含まれる所定範囲の部分画像を加工する加工手段（例えば、図２に示すＣＰＵ１００；図７に示すステップｂ４０（ＹＥＳ）〜ｂ６０）と、
この加工手段により加工された撮影画像を表示する制御を行う加工画像表示制御手段（例えば、図２に示すＣＰＵ１００）と、
を有することを特徴としている。
【００１４】
この請求項４に記載の発明によれば、撮影画像から制限標章像が検出された場合に、当該撮影画像中の当該制限標章像が含まれる所定範囲の部分画像を加工し、加工した画像を表示する制御を行うことができる。
【００１５】
請求項５に記載の発明は、請求項３に記載の画像撮影制御装置において、
所定の通信回線を介して外部から表示制限解除信号を受信する解除信号受信手段（例えば、図２に示す通信制御回路７００；図１１に示すステップｃ１１４（ＹＥＳ））を更に備え、
前記表示制御手段は、前記解除信号受信手段により前記表示制限解除信号を受信した場合には、前記制限標章像が検出された撮影画像の表示制限を解除して表示する制御を行う制限解除手段（例えば、図２に示すＣＰＵ１００；図１１に示すステップｃ１１６）を有する、
ことを特徴としている。
【００１６】
この請求項５に記載の発明によれば、所定の通信回線を介して、制限標章像が検出された撮影画像の表示制限解除信号を外部から受信した場合に、当該撮影画像の表示制限を解除して表示する制御を行うことができる。
【００１７】
請求項６に記載の発明は、請求項３又は４に記載の画像撮影制御装置において、
前記検出手段は、拡大表示するための予め定められた拡大表示標章像を、前記撮影手段により撮影された撮影画像の中から検出する拡大表示標章像検出手段（例えば、図２に示すＣＰＵ１００；図１４に示すステップｄ３０）を有し、
前記表示制御手段は、前記拡大表示標章像検出手段により前記拡大表示標章像が検出された場合に、当該撮影画像中の当該拡大表示標章像が含まれる所定範囲の部分画像を拡大して表示する制御を行う拡大表示制御手段（例えば、図２に示すＣＰＵ１００；図１４に示すステップｄ７０（ＹＥＳ）〜ｄ９０）を有する、
ことを特徴としている。
【００１８】
この請求項６に記載の発明によれば、撮影された撮影画像の中から、拡大表示するための予め定められた拡大表示標章像が検出された場合に、当該撮影画像中の当該拡大表示標章像が含まれる所定範囲の部分画像を拡大して表示する制御を行うことができる。
【００１９】
請求項７に記載の発明は、請求項１〜６の何れか一項に記載の画像撮影制御装置において、
前記制限標章像は、文字、図形、記号及び色彩パターンのうちの少なくとも１つによって形成される標章、バーコード又は電子透かし像であることを特徴としている。
【００２０】
この請求項７に記載の発明によれば、請求項１〜６の何れか一項に記載の発明は、文字、図形、記号及び色彩パターンのうちの少なくとも１つによって形成される標章、バーコード又は電子透かし像を検出することにより実現される。
【発明の効果】
【００２１】
請求項１又は８に記載の発明によれば、撮影された撮影画像の中から、撮影画像の保存を制限するための予め定められた制限標章像が検出された場合に、当該撮影画像の保存を制限する制御を行うことができる。したがって、撮影画像に制限標章像が含まれるか否かによって、当該撮影画像の保存を適切に制限することができるので、撮影場所に限定されずに、被写体の撮影を制限できる画像撮影制御装置を実現することができる。
【００２２】
請求項２に記載の発明によれば、撮影画像から制限標章像が検出された場合に、当該撮影画像中の当該制限標章像が含まれる所定範囲の部分画像を加工し、加工した画像を保存する制御を行うことができる。
【００２３】
請求項３又は９に記載の発明によれば、撮影された撮影画像の中から、撮影画像の表示を制限するための予め定められた制限標章像が検出された場合に、当該撮影画像の表示を制限する制御を行うことができる。したがって、撮影画像に制限標章像が含まれるか否かによって、当該撮影画像の表示を適切に制限することができるので、撮影場所に限定されずに、被写体の撮影を制限できる画像撮影制御装置を実現することができる。
【００２４】
請求項４に記載の発明によれば、撮影画像から制限標章像が検出された場合に、当該撮影画像中の当該制限標章像が含まれる所定範囲の部分画像を加工し、加工した画像を表示する制御を行うことができる。
【００２５】
請求項５に記載の発明によれば、所定の通信回線を介して、制限標章像が検出された撮影画像の表示制限解除信号を外部から受信した場合に、当該撮影画像の表示制限を解除して表示する制御を行うことができる。
【００２６】
請求項６に記載の発明によれば、撮影された撮影画像の中から、拡大表示するための予め定められた拡大表示標章像が検出された場合に、当該撮影画像中の当該拡大表示標章像が含まれる所定範囲の部分画像を拡大して表示する制御を行うことができる。
【００２７】
請求項７に記載の発明によれば、請求項１〜６の何れか一項に記載の発明は、文字、図形、記号及び色彩パターンのうちの少なくとも１つによって形成される標章、バーコード又は電子透かし像を検出することにより実現される。
【発明を実施するための最良の形態】
【００２８】
以下、図１〜図１５を参照して、本発明に係る画像撮影制御装置の実施形態について詳細に説明する。尚、以下では、本発明の画像撮影制御装置をデジタルカメラに適用した場合を例にとって説明する。
【００２９】
［概観］
図１（ａ）はデジタルカメラの正面斜視図を、（ｂ）は背面斜視図を、それぞれ示す図である。図１に示すように、デジタルカメラ１は、被写体を撮影フレームに収めるように狙うためのファインダー１１と、撮影レンズ１３と、撮影レンズ１３を通して入射した光をデジタル信号に変換するＣＣＤ（Charge Coupled Diode）、ＣＭＯＳ（Complementary Metal Oxide Semiconductor）といった撮像素子（図示略）と、シャッターボタン１５と、デジタルカメラ１の電源を投入／遮断を切り替える電源ボタン１７と、各種の操作を入力するための方向キー１９ａや操作ボタン１９ｂ，１９ｃと、撮像された画像を表示する液晶モニタ２１とを備えて構成される。
【００３０】
一方、図１（ｂ）に示すように、デジタルカメラ１の本体側面には、撮影された画像（撮影画像）のデータを保存するメモリカード２３を着脱自在に装着するカードスロット２５が設けられており、デジタルカメラ１により撮影された画像データがメモリカード２３に保存される。メモリカード２３に保存された画像データは、読み出して液晶モニタ２１に表示させることができる。
【００３１】
ユーザによって電源ボタン１７が押下されてデジタルカメラ１の電源が投入されると、デジタルカメラ１が撮影可能な状態となる。撮影レンズ１３を通して撮像素子に集光された画像データは、デジタル信号に変換されて、ファインダー画像として液晶モニタ２１に表示される。そして、シャッターボタン１５が押下されたタイミングで電子的な撮影が実行され、撮影画像がメモリカード２３に記憶される。
【００３２】
さらに、デジタルカメラ１には、データの入力端子を備えた通信コネクタ２７が設けられており、通信ケーブル２９により接続される外部機器との間でデータの送受が可能である。例えば、撮影画像をデジタルカメラ１からパソコンに送信し、パソコンで画像処理を施した後、パソコンに接続されたプリンタ等で画像を印刷するといったことが一般的に行われる。
【００３３】
［構成］
図２は、デジタルカメラ１の内部構成の一例を示すブロック図である。図２に示すように、デジタルカメラ１は、ＣＰＵ１００、入力部２００、表示部３００、表示バッファ３２０、表示部駆動回路３４０、ＣＣＤ４００、ＣＣＤ制御回路４２０、ＲＯＭ５００、ＲＡＭ６００、通信制御回路７００、外部記憶装置８００の各機能部を備えて構成される。
【００３４】
ＣＰＵ１００は、入力部２００から入力される操作信号等に応じて所定のプログラムに基づいた処理を実行し、各機能部への指示やデータの転送等を行って、デジタルカメラ１を統括的に制御する。また、ＣＰＵ１００は、ＣＣＤ制御回路４２０から入力されたデジタル信号をもとにファインダー画像を生成し、このファインダー画像に基づく表示信号を表示部駆動回路３４０に出力する。一方、ＣＰＵ１００は、撮影タイミング（図１に示すシャッターボタン１５の押下タイミング）でＣＣＤ制御回路４２０から入力されたデジタル信号をもとに撮影画像を生成する。そして、ＣＰＵ１００は、生成した撮影画像をもとに、ＪＰＥＧ等の所定の記録方式に基づく保存画像データを生成し、外部記憶装置８００に出力する。
【００３５】
入力部２００は、撮影指示や、撮影条件の設定操作、モードの切替操作等、ユーザによる各種操作入力を受け付けて、操作入力に応じた操作信号をＣＰＵ１００に出力する。具体的には、各種機能が割り当てられたボタン等により実現されるものであり、図１では、電源ボタン１７やシャッターボタン１５、方向キー１９ａ、操作ボタン１９ｂ，１９ｃがこれに該当する。
【００３６】
表示部３００は、撮影画像やファインダー画像、或いはデジタルカメラ１の各種設定情報等を表示するための表示装置である。具体的には、ＬＣＤ（Liquid Crystal Display）やＥＬＤ（Electronic Luminescent Display）等で実現され、図１（ｂ）では、液晶モニタ２１がこれに該当する。
表示バッファ３２０は、表示部３００に表示される画面データを一時的に格納するための記憶装置であり、ＶＲＡＭ等で実現される。
表示部駆動回路３４０は、ＣＰＵ１００の制御により、表示部３００に各種画面を表示させる。具体的には、表示部駆動回路３４０は、ＣＰＵ１００から入力される表示信号をもとに、対応する表示情報を画面データとして表示バッファ３２０に格納し、この表示バッファ３２０に格納される画面データを表示部３００に表示させる。
【００３７】
ＣＣＤ４００は、撮影レンズ（図１（ａ）の撮影レンズ１３）を通して受光した光を電気信号に変換する撮像素子である。
ＣＣＤ制御回路４２０は、ＣＣＤ４００で変換された電気信号をデジタル信号に変換し、ＣＰＵ１００に出力する。
【００３８】
ＲＯＭ５００には、各種初期設定や、ハードウェアの検査、或いは必要なプログラムのロード等を行うための初期プログラムが格納される。ＣＰＵ１００は、デジタルカメラ１の電源投入時においてこの初期プログラムを実行することにより、デジタルカメラ１の動作環境を設定する。また、ＲＯＭ５００には、画像処理や、各種設定処理等のデジタルカメラ１の動作に係る各種処理プログラムや、デジタルカメラ１の備える種々の機能を実現するためのプログラムやデータ等が格納される。
【００３９】
ＲＡＭ６００は、ＣＰＵ１００の作業用メモリとして用いられる半導体メモリであり、ＣＰＵ１００が実行する各種プログラムや、これらプログラムの実行に係るデータ、或いは撮影画像を一時的に保持するためのメモリ領域や、記録媒体８２０に保存する保存画像データを生成する際の作業用領域を備えている。
【００４０】
通信制御回路７００は、例えば、通信ケーブルを介して接続されるＰＣ等の外部機器と所定の情報を送受するための装置であり、外部機器との通信を行うための制御を行う。図１（ｂ）では、通信コネクタ２７がこれに該当する。
【００４１】
外部記憶装置８００は、記録媒体８２０を着脱自在に装着し、当該記録媒体８２０に保存されているデータ（本実施形態では保存画像データ）を読み出して、ＣＰＵ１００に出力する。また、外部記憶装置８００は、ＣＰＵ１００の制御により、記録媒体８２０に対して保存画像データ等のデータを書き込む。具体的には、記録媒体８２０の種類に応じた読み書き装置によって実現されるものであり、図１（ｂ）では、カードスロット２５がこれに該当する。
記録媒体８２０は、フラッシュメモリ等のＣＰＵ１００により読み取り可能な記録媒体であり、図１（ｂ）では、メモリカード２３がこれに該当する。
【００４２】
続いて、以上説明した概観・構成のデジタルカメラ１の具体的な４つの実施形態について、順に説明する。
【００４３】
（実施形態１）
先ず、実施形態１について説明する。
【００４４】
［ＲＯＭ・ＲＡＭの構成］
図３（ａ）は実施形態１におけるＲＯＭ５００ａの構成例を、（ｂ）は実施形態１におけるＲＡＭ６００ａの構成例を、（ｃ）は実施形態１における記録媒体８２０ａの構成例を、それぞれ示す図である。図３（ａ）に示すように、ＲＯＭ５００ａには、実施形態１を実現するため、第１制限標章像検出プログラム５１２を有する第１メインプログラム５１０と、制限標章パターンデータ５１４とが格納される。
【００４５】
実施形態１は、撮影画像から所定の制限標章像が検出された場合に、当該撮影画像の記録媒体への保存を中止するデジタルカメラ１の機能を実現するものであり、ＣＰＵ１００は、ＲＯＭ５００ａに格納される第１メインプログラム５１０に従って第１メイン処理を実行する。
【００４６】
制限標章パターンデータ５１４には、制限標章像のパターンデータ（制限標章パターン）が格納される。この制限標章パターンは、例えば、文字、図形、記号及び色彩パターン等で形成される標章、バーコード又は電子透かし像によって実現される。具体的には、実施形態１の制限標章パターンとして、図５（ａ）に示す制限標章パターンＭ１０が格納される。ＣＰＵ１００は、この制限標章パターンデータ５１４をもとに、撮影画像を解析して制限標章像を検出し、撮影画像から制限標章像が検出された場合には、当該撮影画像の記録媒体への保存を中止する。
【００４７】
また、図３（ｂ）に示すように、ＲＡＭ６００ａは、撮影画像を格納するための撮影画像格納領域６１０を備える。
【００４８】
そして、図３（ｃ）に示すように、記録媒体８２０ａには、保存画像データ８２２が格納される。この保存画像データ８２２には、デジタルカメラ１によって撮影された撮影画像が、蓄積・保存される。
【００４９】
［動作］
次に、実施形態１におけるデジタルカメラ１の動作について、図４に示すフローチャートを参照して説明する。図４は、第１メインプログラム５１０を実行することにより実現される、第１メイン処理に係るＣＰＵ１００の処理フローである。
【００５０】
図４に示すように、ユーザによる動作モードの切替操作により撮影モードが指示された場合に、ＣＰＵ１００は、動作モードを撮影モードに設定する（ステップａ１０）。続いて、ユーザによる撮影実行操作（図１に示すシャッターボタン１５の押下操作）に応じて、ＣＰＵ１００は、撮影処理を実行する（ステップａ２０）。この際、撮影画像が、撮影画像格納領域６１０に格納される。
【００５１】
続いて、ＣＰＵ１００は、第１制限標章像検出プログラム５１２を読み出して第１制限標章像検出処理を実行し、制限標章パターンデータ５１４に格納される制限標章パターンを参照し、撮影画像格納領域６１０に格納される撮影画像から制限標章像を検出する処理を行う（ステップａ３０）。
【００５２】
そして、ステップａ３０の第１制限標章像検出処理の結果、撮影画像から制限標章像が検出された場合に（ステップａ４０：ＹＥＳ）、ＣＰＵ１００は、撮影画像の保存を中止するメッセージを表示部３００に表示する制御を行い（ステップａ５０）、本処理を終了する。
【００５３】
一方、ステップａ３０の第１制限標章像検出処理の結果、撮影画像から制限標章像が検出されなかった場合には（ステップａ４０：ＮＯ）、ＣＰＵ１００は、撮影画像を、保存画像データ８２２として記録媒体８２０ａに保存するための処理を行い（ステップａ６０）、本処理を終了する。
【００５４】
［具体例］
次に、図５を参照しながら、実施形態１に係るデジタルカメラ１の具体例について、制限標章パターンが含まれる雑誌のページをデジタルカメラ１により撮影した場合を例にとって説明する。図５（ａ）は被写体である雑誌１０００の見開きページの一例を、（ｂ）及び（ｃ）はデジタルカメラ１の表示部３００に表示される画面例を、それぞれ示す図である。
【００５５】
図５（ａ）に示すように、各ページには、それぞれ、図中細線の破線で示した制限標章パターンＭ１０（太線破線は、ページ中の制限標章パターンＭ１０の範囲を示すために便宜上図示した線であり、制限標章パターンＭ１０ではない。）が印刷されている。ユーザがデジタルカメラ１の電源を投入し、動作モードを撮影モードに切り替えて、例えば、図５（ａ）に向かって左側のページ１００２に対する撮影を実行すると、図５（ｂ）に示すように、撮影された撮影画像１０１０が表示部３００に表示され、続いて、（ｃ）に示すように、保存中止メッセージ１０２０が表示部３００に表示される。
【００５６】
この際、ＣＰＵ１００により、以下の内部処理が実行される。すなわち、ＣＰＵ１００により、第１制限標章像検出処理が実行され、撮影画像１０１０に含まれる制限表彰像Ｉ１０（図５（ｂ））が検出される（図４に示すステップａ３０→ａ４０（ＹＥＳ））。この結果、ＣＰＵ１００により、保存中止メッセージ１０２０（図５（ｃ））を表示部３００に表示する制御が行われる（図４に示すステップａ５０）。
【００５７】
以上説明したように、実施形態１によれば、被写体を撮影した撮影画像から制限標章像が検出されなかった場合に、当該撮影画像を記録媒体８２０ａに保存し、撮影画像から制限標章像が検出された場合には、当該撮影画像の記録媒体８２０ａへの保存を中止することができる。
【００５８】
（実施形態２）
次に、実施形態２について説明する。尚、以下では、実施形態１と同一の構成要素には同一の符号を付してその説明を省略する。
【００５９】
［ＲＯＭ・ＲＡＭの構成］
図６（ａ）は実施形態２におけるＲＯＭ５００ｂの構成例を、（ｂ）は実施形態２におけるＲＡＭ６００ｂの構成例を、（ｃ）は実施形態２における記録媒体８２０ａの構成例を、それぞれ示す図である。図６（ａ）に示すように、ＲＯＭ５００ｂには、実施形態２を実現するため、第２制限標章像検出プログラム５２２を有する第２メインプログラム５２０と、制限標章パターンデータ５２４とが格納される。
【００６０】
実施形態２は、撮影画像から所定の制限標章像が検出された場合に、制限標章像が含まれる撮影制限エリア（制限標章像が含まれる所定範囲の部分画像）を加工することにより、当該撮影画像の保存を制限するデジタルカメラ１の機能を実現するものであり、ＣＰＵ１００は、ＲＯＭ５００ｂに格納される第２メインプログラム５２０に従って第２メイン処理を実行する。
【００６１】
制限標章パターンデータ５２４には、制限標章パターンと、その基準位置とが格納される。具体的には、実施形態２の制限標章パターンとして、図８（ａ）の腕章Ｍ２０を構成する色彩パターンが格納される。また、基準位置として、例えば、制限標章パターンの中心位置が設定される。
【００６２】
ＣＰＵ１００は、この制限標章パターンデータ５２４に格納される制限標章パターンを参照し、撮影画像を解析して制限標章像を検出する。そして、ＣＰＵ１００は、前述のように撮影画像を解析した結果、撮影画像から制限標章像が検出された場合に、制限標章パターンデータ５２４に格納される基準位置を参照し、制限標章像が含まれる撮影制限エリアを決定する。
【００６３】
また、図６（ｂ）に示すように、ＲＡＭ６００ｂは、撮影画像格納領域６１０と、制限付撮影画像格納領域６２０とを備える。
【００６４】
制限付撮影画像格納領域６２０には、ＣＰＵ１００により生成される制限付撮影画像が格納される。ＣＰＵ１００は、前述のように決定される撮影画像の撮影制限エリアを加工し、制限付撮影画像を生成する。
【００６５】
［動作］
次に、実施形態２におけるデジタルカメラ１の動作について、図７に示すフローチャートを参照して説明する。図７は、第２メインプログラム５２０を実行することにより実現される、第２メイン処理に係るＣＰＵ１００の処理フローである。
【００６６】
図７に示すように、ユーザによる動作モードの切替操作により撮影モードが指示された場合に、ＣＰＵ１００は、動作モードを撮影モードに設定する（ステップｂ１０）。続いて、ユーザによる撮影実行操作に応じて、ＣＰＵ１００は、撮影処理を実行する（ステップｂ２０）。この際、撮影画像が、撮影画像格納領域６１０に格納される。
【００６７】
次に、ＣＰＵ１００は、第２制限標章像検出プログラム５２２を読み出して第２制限標章像検出処理を実行し、制限標章パターンデータ５２４に格納される制限標章パターンを参照して、撮影画像格納領域６１０に格納される撮影画像から制限標章像を検出する処理を行う（ステップｂ３０）。
【００６８】
そして、ステップｂ３０の第２制限標章像検出処理の結果、撮影画像から制限標章像が検出された場合に（ステップｂ４０：ＹＥＳ）、ＣＰＵ１００は、制限標章パターンデータ５２４に格納される基準位置を参照し、検出された制限標章像が含まれる撮影制限エリアを決定する（ステップｂ５０）。具体的には、ＣＰＵ１００は、撮影画像に含まれる制限標章像の基準位置を決定する。そして、ＣＰＵ１００は、決定した制限標章像の基準位置を中心とした、予め設定された加工サイズに従った領域を決定し、撮影制限エリアとする。
【００６９】
続いて、ＣＰＵ１００は、決定した撮影制限エリアに対して、例えば所定のマスキング処理を施して加工することにより、制限付撮影画像を生成し、制限付撮影画像格納領域６２０に格納する（ステップｂ６０）。ここで、マスキング処理とは、撮影制限エリアに対して、例えば、所定の色で塗りつぶす、モザイクやぼかしを施す、等の処理である。
【００７０】
そして、ＣＰＵ１００は、制限付撮影画像を、保存画像データとして記録媒体８２０ａに保存するための処理を行い（ステップｂ７０）、本処理を終了する。
【００７１】
一方、ステップｂ３０の第２制限標章像検出処理の結果、撮影画像から制限標章像が検出されなかった場合には（ステップｂ４０：ＮＯ）、ＣＰＵ１００は、撮影画像を、保存画像データ８２２として記録媒体８２０ａに保存するための処理を行い（ステップｂ８０）、本処理を終了する。
【００７２】
［具体例］
次に、図８を参照しながら、実施形態２に係るデジタルカメラ１の具体例について、制限標章パターンが含まれる腕章を身に付けた人物をデジタルカメラ１により撮影した場合を例にとって説明する。図８（ａ）は被写体である人物１１００の一例を、（ｂ）及び（ｃ）はデジタルカメラ１の表示部３００に表示される画面例を、それぞれ示す図である。
【００７３】
図８（ａ）に示すように、ユーザがデジタルカメラ１の電源を投入し、動作モードを撮影モードに切り替えて、腕章Ｍ２０を身に付けた人物１１００に対する撮影を実行すると、（ｂ）に示すように、撮影された撮影画像１１１０が表示部３００に表示される。続いて、図８（ｃ）に示すように、（ｂ）に示す撮影制限エリアＥ２０に所定のマスキング処理が施され、例えば所定色で塗りつぶされて加工された制限付撮影画像１１２０が表示部３００に表示される。
【００７４】
この際、ＣＰＵ１００により、以下の内部処理が実行される。すなわち、ＣＰＵ１００により、第２制限標章像検出処理が実行され、撮影画像１１１０から制限標章像Ｉ２０（図８（ｂ））が検出される（図７に示すステップｂ３０→ｂ４０（ＹＥＳ））。この結果、ＣＰＵ１００により、制限標章パターンデータ５２４に格納される基準位置をもとに、予め設定された加工サイズ（例えば、図８（ｂ）に示す加工サイズＳ２０）に従った撮影制限エリアＥ２０（図８（ｂ））が決定される（図７に示すステップｂ５０）。そして、ＣＰＵ１００により、撮影制限エリアＥ２０にマスキング処理が施され、例えば所定色で塗りつぶされて加工された制限付撮影画像１１２０（図８（ｃ））が生成されて、記憶媒体８２０ａに保存画像データ８２２として保存する制御が行われる（図７に示すステップｂ６０→ｂ７０）。
【００７５】
以上説明したように、実施形態２によれば、被写体を撮影した撮影画像から制限標章像が検出されなかった場合に、当該撮影画像を記録媒体８２０ａに保存し、撮影画像から制限標章像が検出された場合には、制限標章像が含まれる撮影制限エリアを加工することにより、当該撮影画像の記録媒体８２０ａへの保存を制限することができる。
【００７６】
尚、実施形態２では、撮影画像から制限標章像が検出された場合に、制限標章像が含まれる撮影制限エリアを加工した制限付撮影画像を記録媒体８２０ａに保存する場合について説明したが、例えば、制限標章像が検出された撮影画像を表示部３００に表示させる際に撮影制限エリアを隠して表示する、或いは制限標章像が検出された撮影画像を表示部３００に表示させない等、撮影画像の表示部３００への表示を制限することとしてもよい。
【００７７】
（実施形態３）
次に、実施形態３について説明する。尚、以下では、実施形態１と同一の構成要素には同一の符号を付してその説明を省略する。
【００７８】
［ＲＯＭ・ＲＡＭの構成］
図９（ａ）は実施形態３におけるＲＯＭ５００ｃの構成例を、（ｂ）は実施形態３におけるＲＡＭ６００ａの構成例を、（ｃ）は実施形態３における記録媒体８２０ｃの構成例を、それぞれ示す図である。図９（ａ）に示すように、ＲＯＭ５００ｃには、実施形態３を実現するため、第３制限標章像検出プログラム５３２及び表示制限解除プログラム５３４を有する第３メインプログラム５３０とが格納される。
【００７９】
実施形態３は、撮影画像から二次元バーコードが検出された場合に、撮影画像の表示部３００への表示を制限し、所定の通信回線を介して接続される外部（パーソナルコンピュータ：ＰＣ）から表示制限解除信号を受信した場合に、当該撮影画像の表示制限を解除するデジタルカメラ１の機能を実現するものであり、ＣＰＵ１００は、ＲＯＭ５００ｃに格納される第３メインプログラム５３０に従って第３メイン処理を実行する。
【００８０】
また、図９（ｃ）に示すように、記録媒体８２０ｃには、保存画像データ８２４が格納される。
【００８１】
図１０は、保存画像データ８２４の一例を示す図である。図１０に示すように、保存画像データ８２４には、撮影画像と、撮影画像に含まれる二次元バーコードをもとに取得したＵＲＬと、表示制限フラグ（表示制限あり：１／表示制限なし：０）とが対応付けられて格納される。ＣＰＵ１００は、撮影画像から二次元バーコードを読み取った場合に、表示制限フラグを“１”に設定する。
【００８２】
［動作］
次に、実施形態３におけるデジタルカメラ１の動作について、図１１に示すフローチャートを参照して説明する。図１１は、第３メインプログラム５３０を実行することにより実現される、第３メイン処理に係るＣＰＵ１００の処理フローである。
【００８３】
図１１に示すように、ユーザによる動作モードの切替操作により撮影モードが指示された場合に、ＣＰＵ１００は、動作モードを撮影モードに設定する（ステップｃ１０）。続いて、ユーザによる撮影実行操作に応じて、ＣＰＵ１００は、撮影処理を実行する（ステップｃ２０）。この際、撮影画像が、撮影画像格納領域６１０に格納される。
【００８４】
続いて、ＣＰＵ１００は、第３制限標章像検出プログラム５３２を読み出して第３制限標章像検出処理を実行し、撮影画像格納領域６１０に格納される撮影画像から制限標章像（二次元バーコード）を検出する処理を行う（ステップｃ３０）。
【００８５】
そして、ステップｃ３０の第３制限標章像検出処理の結果、撮影画像から制限標章像（二次元バーコード）が検出された場合に（ステップｃ４０：ＹＥＳ）、ＣＰＵ１００は、検出した二次元バーコードをもとに、ＵＲＬを取得する（ステップｃ５０）。続いて、ＣＰＵ１００は、撮影画像と取得したＵＲＬとを保存画像データ８２４に保存し、対応する表示制限フラグに“１”を設定する（ステップｃ６０）。
【００８６】
一方、ステップｃ３０の第３制限標章像検出処理の結果、撮影画像から制限標章像が検出されなかった場合には（ステップｃ４０：ＮＯ）、ＣＰＵ１００は、表示制限フラグを“０”に設定して、撮影画像を保存画像データ８２４に保存するための処理を行う（ステップｃ７０）。
【００８７】
また、ＣＰＵ１００は、ユーザによる撮影画像表示操作に応じて、撮影画像の表示制限フラグを判別する（ステップｃ８０）。そして、表示制限フラグに“１”が設定されている場合であって（ステップｃ９０：ＹＥＳ）、ユーザにより表示制限解除処理実行指示が入力された場合には（ステップｃ１００：ＹＥＳ）、ＣＰＵ１００は、表示制限解除プログラム５３４を読み出して表示制限解除処理を実行する（ステップｃ１１０）。
【００８８】
具体的には、ＣＰＵ１００は、通信ケーブル（図１に示す通信ケーブル２９）によるＰＣとの接続操作に応じて、先ず、撮影画像から検出した二次元バーコードをもとに取得したＵＲＬを保存画像データ８２４から読み出して、通信制御回路７００を介してＰＣに送信する（ステップｃ１１２）。そして、ＣＰＵ１００は、通信制御回路７００を介してＰＣから表示制限解除信号を受信した場合に（ステップｃ１１４：ＹＥＳ）、対応する表示制限フラグを“０”に更新して保存画像データを更新し（ステップｃ１１６）、本処理を終了する。
【００８９】
そして、ＣＰＵ１００は、上記したように、ステップｃ１１６において撮影制限フラグを“０”に更新した場合、或いは、ステップｃ９０において、撮影画像の表示制限フラグを“０”と判別した場合には、ステップｃ１１８に移行し、保存画像データ８２４から撮影画像を読み出して表示部３００に表示する制御を行う（ステップｃ１２０）。
【００９０】
［具体例］
次に、図１２を参照しながら、実施形態３に係るデジタルカメラ１の具体例について、制限標章パターンを含む広告チラシをデジタルカメラ１により撮影した場合を例にとって説明する。図１２（ａ）は被写体である、自動車１２１０が印刷された広告チラシ１２００の一例を、（ｂ）はデジタルカメラ１とＰＣとの接続例を、（ｃ）はデジタルカメラ１の表示部３００に表示される画面例を、それぞれ示す図である。
【００９１】
図１２（ａ）に示すように、広告チラシ１２００には、二次元バーコードＭ３０が印刷されている。ユーザがデジタルカメラ１の電源を投入し、動作モードを撮影モードに切り替えて、広告チラシ１２００に対する撮影を実行すると、ＣＰＵ１００により第３制限標章像検出処理が実行され、撮影画像から二次元バーコードＭ３０（図１２（ｂ））が検出される（図１１に示すステップｃ３０→ｃ４０（ＹＥＳ））。この結果、ＣＰＵ１００により、検出された二次元バーコードをもとに取得されたＵＲＬと撮影画像とが保存画像データ８２４に保存され、対応する表示制限フラグに“１”が設定される。このように、表示制限フラグに“１”が設定された撮影画像は、表示部３００に表示されないようになっている。
【００９２】
例えば、ユーザが表示制限解除処理実行指示を入力し、図１２（ｂ）に示すように、デジタルカメラ１とＰＣとの接続操作を行うと、ＣＰＵ１００により、撮影画像から検出された二次元バーコードＭ３０をもとに取得されたＵＲＬがＰＣに送信される。このＰＣは、Ｗｅｂサイトを閲覧するためのソフトウェアであるＷｅｂブラウザの機能を搭載しており、インターネット上に公開されるＷｅｂページにアクセスすることができるようになっている。ＰＣは、通信ケーブル２９により接続されたデジタルカメラ１からＵＲＬを受信すると、Ｗｅｂブラウザを起動して、受信したＵＲＬをもとにＷｅｂサーバにアクセスし、Ｗｅｂサーバから応答されたデータを表示する制御を行うとともに、デジタルカメラ１に表示制限解除信号を送信する。この結果、図１２（ｃ）に示すように、（ａ）で撮影した撮影画像１２２０が、デジタルカメラ１の表示部３００に表示される。
【００９３】
この際、ＣＰＵ１００により、以下の内部処理が実行される。すなわち、通信制御回路７００を介してＰＣから表示制限解除信号が受信された場合に、ＣＰＵ１００により撮影画像の表示制限フラグが“０”に更新され、保存画像データ８２４から撮影画像が読み出されて表示部３００に表示する制御が行われる（図１１に示すステップｃ１１４（ＹＥＳ）→ｃ１１６→ｃ１２０）。
【００９４】
以上説明したように、実施形態３によれば、被写体を撮影した撮影画像から制限標章像（二次元バーコード）が検出された場合に、二次元バーコードをもとにＵＲＬを取得するとともに、当該撮影画像の表示制限フラグを“１”に設定して当該撮影画像を記録媒体８２０ａに保存することにより、当該撮影画像の表示部３００への表示を制限することができる。そして、デジタルカメラ１と接続されたＰＣから表示制限解除信号を受信した場合に、当該撮影画像の表示制限を解除することができる。
【００９５】
（実施形態４）
次に、実施形態４について説明する。尚、以下では、実施形態１と同一の構成要素には同一の符号を付してその説明を省略する。
【００９６】
［ＲＯＭ・ＲＡＭの構成］
図１３（ａ）は実施形態４におけるＲＯＭ５００ｄの構成例を、（ｂ）は実施形態４におけるＲＡＭ６００ｄの構成例を、（ｃ）は実施形態４における記録媒体８２０ａの構成例を、それぞれ示す図である。図１３（ａ）に示すように、ＲＯＭ５００ｄには、実施形態４を実現するため、標章像検出プログラム５４２を有する第４メインプログラム５４０と、標章パターンデータ５４４とが格納される。
【００９７】
実施形態４は、撮影画像から所定の標章像が検出された場合に、標章像が含まれる撮影制限エリアを加工することにより、当該撮影画像の保存を制限し、さらに、撮影画像から所定の拡大表示標章像が検出された場合に、拡大表示標章像が含まれる撮影許可エリア（拡大表示標章像が含まれる所定範囲の部分画像）の表示内容を所定位置に拡大表示するデジタルカメラ１の機能を実現するものであり、ＣＰＵ１００は、ＲＯＭ５００ｄに格納される第４メインプログラム５４０に従って第４メイン処理を実行する。
【００９８】
標章パターンデータ５４４には、制限標章パターンと、拡大表示標章像のパターンデータ（拡大表示標章パターン）とが格納される。具体的には、実施形態４の制限標章パターンとして、図１５（ｂ）に示す制限標章パターンＭ４０−１，２が格納される。また、拡大表示標章パターンとして、図１５（ｂ）に示す拡大表示標章パターンＭ４２−１〜４が格納される。尚、実施形態４において、制限標章パターンと拡大表示標章パターンとを包括して、適宜「標章パターン」という。
【００９９】
ＣＰＵ１００は、この標章パターンデータ５４４に格納される制限標章パターンを参照し、撮影画像を解析して制限標章像を検出するとともに、拡大表示標章パターンを参照し、撮影画像を解析して拡大表示標章像を検出する。そして、ＣＰＵ１００は、前述のように撮影画像を解析した結果、撮影画像から制限標章像或いは拡大表示標章像（以下、実施形態４において、制限標章像及び拡大表示標章像を包括して、適宜「標章像」という。）が検出された場合に、標章像が含まれる撮影制限エリアを決定する。
【０１００】
また、図１３（ｂ）に示すように、ＲＡＭ６００ｄは、撮影画像格納領域６１０と、制限付撮影画像格納領域６４０と、拡大表示用テキスト格納領域６４２とを備える。
【０１０１】
制限付撮影画像格納領域６４０には、ＣＰＵ１００により生成される制限付撮影画像が格納される。ＣＰＵ１００は、前述のように決定された撮影画像の撮影制限エリアを加工し、制限付撮影画像を生成する。
【０１０２】
拡大表示用テキスト格納領域６４２には、ＣＰＵ１００により作成される拡大表示用テキストが格納される。ＣＰＵ１００は、前述のように決定される撮影許可エリアの文字認識処理を実行し、認識した文字に従って拡大表示用テキストを作成する。この拡大表示用テキスト格納領域６４２に格納された拡大表示用テキストは、ＣＰＵ１００により、制限付撮影画像格納領域６４０に格納されている制限付撮影画像の所定位置に合成される。
【０１０３】
［動作］
次に、実施形態４におけるデジタルカメラ１の動作について、図１４に示すフローチャートを参照して説明する。図１４は、第４メインプログラム５４０を実行することにより実現される、第４メイン処理に係るＣＰＵ１００の処理フローである。
【０１０４】
図１４に示すように、ユーザによる動作モードの切替操作により撮影モードが指示された場合に、ＣＰＵ１００は、動作モードを撮影モードに設定する（ステップｄ１０）。続いて、ユーザによる撮影実行操作に応じて、ＣＰＵ１００は、撮影処理を実行する（ステップｄ２０）。この際、撮影画像が、撮影画像格納領域６１０に格納される。
【０１０５】
続いて、ＣＰＵ１００は、標章像検出プログラム５４２を読み出して標章像検出処理を実行し、標章パターンデータ５４４に格納される制限標章パターンを参照して、撮影画像格納領域６１０に格納される撮影画像から標章像を検出する処理を行う（ステップｄ３０）。
【０１０６】
そして、ステップｄ３０の標章像検出処理の結果、撮影画像から標章像が検出された場合に（ステップｄ４０：ＹＥＳ）、ＣＰＵ１００は、検出された標章像が含まれる撮影制限エリアを決定する（ステップｄ５０）。具体的には、ＣＰＵ１００は、制限標章像が含まれる撮影禁止エリア及び拡大表示標章像が含まれる撮影許可エリアを決定して、これらを含む領域を撮影制限エリアに決定する。
【０１０７】
続いて、ＣＰＵ１００は、決定した撮影制限エリアに対して、例えば所定のマスキング処理を施して加工することにより、制限付撮影画像を生成し、制限付撮影画像格納領域６４０に格納する（ステップｄ６０）。
【０１０８】
さらに、ステップｄ３０の標章検出処理の結果、撮影画像から、拡大表示標章像が検出された場合には（ステップｄ７０：ＹＥＳ）、ＣＰＵ１００は、先ず、撮影許可エリアの文字認識処理を実行して、認識した文字に従って拡大表示用テキストを作成する（ステップｄ８０）。次いで、ＣＰＵ１００は、所定のフォントサイズの拡大表示用テキストを、制限付撮影画像格納領域６４０に格納されている制限付撮影画像の所定位置に合成する（ステップｄ９０）。
【０１０９】
そして、ＣＰＵ１００は、制限付撮影画像を、保存画像データとして記録媒体８２０ａに保存するための処理を行い（ステップｄ１００）、本処理を終了する。
【０１１０】
一方、ステップｄ３０の標章像検出処理の結果、撮影画像から制限標章像が検出されなかった場合には（ステップｄ４０：ＮＯ）、ＣＰＵ１００は、撮影画像を、保存画像データ８２２として記録媒体８２０ａに保存するための処理を行い（ステップｄ１１０）、本処理を終了する。
【０１１１】
［具体例］
次に、図１５を参照しながら、実施形態４に係るデジタルカメラ１の具体例について、制限標章パターンが含まれるシールが貼付された商品をデジタルカメラ１により撮影した場合を例にとって説明する。図１５（ａ）は被写体である商品１３００の一例を、（ｂ）は商品１３００に貼付されたシール１３１０部分の拡大図を、（ｂ）はデジタルカメラ１の表示部３００に表示される画面例を、それぞれ示す図である。
【０１１２】
図１５（ａ）に示すように、商品１３００に貼付されるシール１３１０には、当該商品１３００の価格、産地、及び賞味期限が印刷されており、それぞれ標章パターンが付記されている。具体的には、図１５（ｂ）に示すように、シール１３１０には、商品１３００の価格表示を挟んで２つの制限標章パターンＭ４０−１，２が付記されている。同様にして、産地表示を挟んで２つの拡大表示標章パターンＭ４２−１，２が、賞味期限表示を挟んで２つの拡大表示標章パターンＭ４２−３，４が、それぞれ付記されている。詳細は後述するが、実施形態４において、同種類の２つの標章パターンを１組として、これら１組の標章パターンの配置位置に従って撮影制限エリアが決定される。
【０１１３】
ユーザがデジタルカメラ１の電源を投入し、動作モードを撮影モードに切り替えて、図１５（ａ）に示す、シール１３１０が貼付された商品１３００に対する撮影を実行すると、（ｃ）に示すように、（ａ）に示す商品１３００に貼付されたシール１３１０に対応する領域である撮影制限エリアＥ４２が、例えば所定色で塗り潰されて加工されるとともに、撮影許可エリアＥ４０−２，３の文字が拡大表示エリアＥ４４に拡大表示された制限付撮影画像が、表示部３００に表示される。
【０１１４】
この際、ＣＰＵ１００により、以下の内部処理が実行される。すなわち、ＣＰＵ１００により、標章像検出処理が実行され、撮影画像から制限標章像Ｍ４０−１，２（図１５（ｂ））及び拡大表示標章像Ｍ４２−１〜４（図１４（ｂ））が検出される（図１４に示すステップｄ３０→ｄ４０（ＹＥＳ））。この結果、ＣＰＵ１００により、検出された標章像の位置に従って、撮影制限エリアＥ４２（図１５（ｂ））が決定される（図１４に示すステップｄ５０）。具体的には、ＣＰＵ１００により、図１５（ｂ）に示す、商品１３００の価格表示を挟んで付記される２つの制限標章パターンＭ４０−１，２の位置に従って撮影禁止エリアＥ４０−１が決定される。同様にして、ＣＰＵ１００により、図１５（ｂ）に示す、産地表示を挟んで付記される２つの拡大表示標章パターンＭ４２−１，２の位置に従って撮影許可エリアＥ４０−２が、賞味期限表示を挟んで付記される２つの拡大表示標章パターンＭ４２−３，４の位置に従って撮影許可エリアＥ４０−３が、それぞれ決定される。そして、ＣＰＵ１００により、決定した撮影禁止エリアＥ４０−１及び撮影許エリアＥ４０−２，３を含む領域Ｅ４０が撮影制限エリアに決定される。
【０１１５】
そして、ＣＰＵ１００により、撮影制限エリアＥ４２（図１５（ｃ））、すなわち図１５（ｂ）に示す領域Ｅ４０に所定のマスキング処理が施されて加工される（図１４のステップｄｄ６０）。さらに、ＣＰＵ１００により、撮影許可エリアＥ４０−２，３（図１５（ｂ））の文字認識処理が実行され、認識された文字に従って作成された拡大用表示テキストが、所定のフォントサイズで制限付撮影画像１３２０の拡大表示エリアＥ４４（図１５（ｃ））に合成されて、記憶媒体８２０ａに保存画像データ８２２として保存する制御が行われる（図１４に示すステップｄｄ７０（ＹＥＳ）→ｄ８０→ｄ９０→ｄ１００）。
【０１１６】
以上説明したように、実施形態４によれば、被写体を撮影した撮影画像から制限標章像又は拡大表示標章像が検出された場合に、当該制限標章像又は拡大表示標章像が含まれる撮影制限エリアを加工するとともに、撮影画像から拡大表示標章像が検出された場合に、拡大表示標章像が含まれる撮影許可エリアの表示内容を拡大して所定位置に合成することにより、当該撮影画像の記録媒体８２０ａへの保存を制限することができる。
【０１１７】
尚、実施形態４では、撮影画像から制限標章像が検出された場合に、制限標章像が含まれる撮影制限エリアを加工した制限付撮影画像を記録媒体８２０ａに保存する場合について説明したが、例えば、制限標章像が検出された撮影画像を表示部３００に表示させる際に撮影制限エリアを隠して表示する、或いは制限標章像が検出された撮影画像を表示部３００に表示させない等、撮影画像の表示部３００への表示を制限することとしてもよい。
【０１１８】
また、実施形態４では、撮影画像から拡大表示標章像が検出された場合に、拡大表示標章像が含まれる撮影許可エリアの表示内容に基づいて拡大表示用テキストを作成し、所定位置に合成して制限付撮影画像を生成することとして説明したが、撮影許可エリアの表示内容を抽出して拡大し、所定位置に合成することとしてもかまわない。
【０１１９】
以上、４つの実施形態について、本発明の画像撮影制御装置をデジタルカメラに適用した場合について説明したが、これに限定されるものではなく、デジタル撮影の機能を有する携帯電話機や、ＰＤＡ、パソコン、電子時計、ビデオカメラといった電子機器に適用可能である。
【図面の簡単な説明】
【０１２０】
【図１】（ａ）はデジタルカメラの正面斜視図を、（ｂ）は背面斜視図を、それぞれ示す図。
【図２】デジタルカメラの内部構成の一例を示すブロック図。
【図３】（ａ）は実施形態１におけるＲＡＭの構成を、（ｂ）はＲＯＭの構成を、それぞれ示す図。
【図４】第１メイン処理の一例を示すフローチャート。
【図５】被写体である雑誌及びデジタルカメラの表示部に表示される画面の具体例を示す図。
【図６】（ａ）は実施形態２におけるＲＡＭの構成を、（ｂ）はＲＯＭの構成を、それぞれ示す図。
【図７】第２メイン処理の一例を示すフローチャート。
【図８】被写体である人物及びデジタルカメラの表示部に表示される画面の具体例を示す図。
【図９】（ａ）は実施形態３におけるＲＡＭの構成を、（ｂ）はＲＯＭの構成を、それぞれ示す図。
【図１０】保存画像データの一例を示す図。
【図１１】第３メイン処理の一例を示すフローチャート。
【図１２】被写体である広告チラシ及びデジタルカメラの表示部に表示される画面の具体例を示す図。
【図１３】（ａ）は実施形態４におけるＲＡＭの構成を、（ｂ）はＲＯＭの構成を、それぞれ示す図。
【図１４】第４メイン処理の一例を示すフローチャート。
【図１５】被写体である商品及びデジタルカメラの表示部に表示される画面の具体例を示す図。
【符号の説明】
【０１２１】
１                    デジタルカメラ
１００              ＣＰＵ
２００              入力部
３００              表示部
３２０              表示バッファ
３４０              表示部駆動回路
４００              ＣＣＤ
４２０              ＣＣＤ制御回路
５００（５００ａ）  ＲＯＭ
５１０            第１メインプログラム
５１２          第１制限標章像検出プログラム
５１４            制限標章パターンデータ
６００（６００ａ）  ＲＡＭ
６１０            撮影画像格納領域
７００              通信制御回路
８００              外部記憶装置
８２０（８２０ａ）  記録媒体
８２２            保存画像データ
【図１】
2005136639.tif 000003
【図２】
2005136639.tif 000004
【図３】
2005136639.tif 000005
【図４】
2005136639.tif 000006
【図５】
2005136639.tif 000007
【図６】
2005136639.tif 000008
【図７】
2005136639.tif 000009
【図８】
2005136639.tif 000010
【図９】
2005136639.tif 000011
【図１０】
2005136639.tif 000012
【図１１】
2005136639.tif 000013
【図１２】
2005136639.tif 000014
【図１３】
2005136639.tif 000015
【図１４】
2005136639.tif 000016
【図１５】
2005136639.tif 000017